(57)【要約】【課題】本発明は、掃除機等に搭載される電動送風機の回転ファンを高速で運転させても、回転ファンの変形や破壊の発生を防ぐことができる回転ファン等を提供することを目的とする。【解決手段】ファン翼１の最外周部のカシメ用ツメ１１をファン翼１の最外周側近くに設定し、一および他方の側板２、３をファン翼１の最外周から平行に外周方向に延長した回転ファンとしたものであり、回転ファン１０を高速で運転しても、ファン翼１の最外周のカシメ用ツメ１１から外周方向に伸びた部分の遠心力を抑えることが可能となり、回転ファン１０を高速で運転した際の回転ファン１０の変形や破壊を起こり難くすることができる。【選択図】  図１
2005009376.tif 000002
【特許請求の範囲】
【請求項１】
略台形からなる板材を数個の円弧にしたがって曲げ加工を施した数枚のファン翼に、数箇所のカシメ用ツメを前記ファン翼の長手方向の両辺へ数箇所設け、略円錐台状に絞り加工された上底部分に開口部を有する円盤からなる一方の側板と中心に軸へ取付用穴の開いた平面の円盤からなる他方の側板の各々に前記ファン翼のカシメ用ツメに対応した角穴を設け、前記ファン翼の両辺のカシメ用ツメをファン翼の最外周側近くに設定し、前記両側板をファン翼の最外周から平行に外周方向に延長した形状としたことを特徴とする回転ファン。
【請求項２】
ファン翼の最外周カシメ用ツメから外周方向に延長する長さを０．２〜２．０ｍｍの幅に設定したことを特徴とする請求項１に記載の回転ファン。
【請求項３】
ファン翼最外周から一および他方の側板を外周方向に延長する長さを１．０〜１．５ｍｍの幅で設定したことを特徴とする請求項１または請求項２に記載の回転ファン。
【請求項４】
請求項１から請求項３のいずれかに記載の回転ファンを高速で運転し、前記回転ファンによる吐出圧や吸込圧を発生させることを特徴とする電動送風機。
【請求項５】
請求項４に記載の電動送風機を搭載したことを特徴とする掃除機。
【発明の詳細な説明】
【０００１】
【発明の属する技術分野】
本発明は家庭用または産業用の掃除機等に搭載される電動送風機の回転ファンに係るものである。
【０００２】
【従来の技術】
近年、電化製品には、非常に多くの電動機が用いられるようになってきており、電化製品自身の小型軽量化を実現するために、内蔵される電動機に対しての小型軽量化の要求も日増しに強くなってきている状況にある。
【０００３】
このような中、電動機を小型軽量化するためには、使用材料を極端に減少させて小型軽量化する方法がある。
【０００４】
しかしながら、上記前者の方法によっては小型軽量化は望めるものの電動機の出力が低下してしまうということになってします。このため、出力を維持したまま小型軽量化をすすめるためには、電動機の回転数を増加させて電動機出力を確保しつつ小型軽量化していく必要がある。
【０００５】
従来の回転ファンは図５に示すように、ファン翼５０（図６参照）と一方の側板（図７参照）および他方の側板（図８参照）をカシメ用ツメ５１とこれに対応した角穴６１と７１を介し、組立て構成している。なお、詳細については後述する。
【０００６】
このようにして構成された回転ファン４０は、側板６０と側板７０の外周径はファン翼５０の最外周とほぼ同一の径となっている（例えば、特許文献１参照。）。
【０００７】
なお、このような一般的な回転ファンにおいては、側板６０と側板７０最外周に設けられたカシメ用の角穴６１、７１の位置は、カシメ後の強度面から角穴の最外周側の角から最外周までの距離を１〜２ｍｍ程度に設定する必要があり、カシメ用ツメ５１の位置もそれに合わせた位置になるため、図６に示すように最外周側のカシメ用ツメ５１からファン翼４０の最外周まで５ｍｍ程度の長さが必要になっていた。
【０００８】
【特許文献１】
特開昭６１−６６８９７号公報
【０００９】
【発明が解決しようとする課題】
しかしながら上記従来の回転ファンにおいては、回転ファンの高速運転にともない、電動送風機の回転子軸の一方に取り付けられた回転ファンに対する遠心力も増加することとなる。そして、特に最外周カシメ用ツメから外周側の部分に大きな遠心力が作用し、外周方向に曲がろうとする力が発生することになり、そのまま運転を続けるとファン翼の最外周カシメ用ツメから外周側部分の変形が生じ、ひどいときにはその部分から破断したりすることがあった。
【００１０】
本発明は、掃除機等に搭載される電動送風機の回転ファンを高速で運転させても、回転ファンの変形や破壊の発生を防ぐことができる回転ファン等を提供することを目的とする。
【００１１】
【課題を解決するための手段】
本発明は上記従来の課題に鑑みなされたものであり、本発明の回転ファンは、ファン翼の最外周部のカシメ用ツメをファン翼の最外周側近くに設定し、一および他方の側板をファン翼の最外周から平行に外周方向に延長した構成としたものである。これにより、回転ファンを高速で運転しても、ファン翼の最外周のカシメ用ツメから外周方向に伸びた部分の遠心力を抑えることが可能となり、回転ファンを高速で運転した際の回転ファンの変形や破壊を起こり難くすることができる。
【００１２】
【発明の実施の形態】
本願の請求項１に係る発明は、略台形からなる板材を数個の円弧にしたがって曲げ加工を施した数枚のファン翼に、数箇所のカシメ用ツメを前記ファン翼の長手方向の両辺へ数箇所設け、略円錐台状に絞り加工された上底部分に開口部を有する円盤からなる一方の側板と中心に軸へ取付用穴の開いた平面の円盤からなる他方の側板の各々に前記ファン翼のカシメ用ツメに対応した角穴を設け、前記ファン翼の両辺のカシメ用ツメをファン翼の最外周側近くに設定し、前記両側板をファン翼の最外周から平行に外周方向に延長した形状としたことを特徴とする回転ファンである。
【００１３】
請求項２に係る発明は、ファン翼の最外周カシメ用ツメから外周方向に延長する長さを０．２〜２．０ｍｍの幅に設定したことを特徴とする請求項１に記載の回転ファンである。
【００１４】
請求項３に係る発明は、ファン翼最外周から一および他方の側板を外周方向に延長する長さを１．０〜１．５ｍｍの幅で設定したことを特徴とする請求項１または請求項２に記載の回転ファンである。
【００１５】
請求項４に係る発明は、請求項１から請求項３のいずれかに記載の回転ファンを高速で運転し、前記回転ファンによる吐出圧や吸込圧を発生させることを特徴とする電動送風機である。
【００１６】
請求項５に係る発明は、請求項４に記載の電動送風機を搭載したことを特徴とする掃除機である。
【００１７】
【実施例】
以下、本発明の具体的な掃除機等に搭載される電動送風機の回転ファンについて、図面を参照しながら説明する。
【００１８】
図１に示すような回転ファン１０は、図２に示す略台形からなる板材の長手方向の両辺へ数箇所のカシメ用ツメ１１を数箇所設け、かつ前記板材を数個の円弧にしたがって曲げ加工を施した数枚のファン翼１と、図３に示すファン翼１のカシメ用ツメ１１に対応した角穴２１を設け、略円錐台状に絞り加工され上底部分に開口部を持つ円盤からなる側板２と、図４に示すファン翼１のカシメ用ツメ１１に対応した角穴３１を設け、中心に軸へ取り付け用の穴の開いた平面の円盤からなる側板３により構成されている。そして、ファン翼１と側板２または３の固定は、カシメ用ツメ１１と、これに対応した角穴２１と３１を介し、カシメ用ツメ１１をカシメ加工することによって機械的に固定されている。
【００１９】
このように構成される回転ファン１０において、ファン翼１の最外周部のカシメ用ツメ１１をファン翼１の最外周側から０．２〜２．０ｍｍの位置で、側板２および３をファン翼１の最外周から平行に外周方向に１．０〜１．５ｍｍの幅で延長した形状とすると好適である。
【００２０】
なお、上記実施例は本発明の一具体例であってこれに拘泥するものではない。
【００２１】
【発明の効果】
以上、説明したように本発明によれば、回転ファンを高速で運転しても、ファン翼の最外周のカシメ用ツメから外周方向に伸びた部分の遠心力を抑えることが可能となり、回転ファンを高速で運転した際の回転ファンの変形や破壊を起こり難くすることができる。そして、回転ファンを内包する電動送風機の回転数を増加させることができるため、日増しに強くなってきている掃除機等の電化製品自体小型化の要求にも出力を維持した状態で対応できる。
【図面の簡単な説明】
【図１】本発明の回転ファン組立ての構造断面を示す図
【図２】本発明の回転ファンを構成するファン翼を示す図
【図３】本発明の回転ファンを構成する一方の側板の上面図
【図４】本発明の回転ファンを構成する他方の側板の上面図
【図５】従来の回転ファン組立ての構造断面を示す図
【図６】従来の回転ファンを構成するファン翼を示す図
【図７】従来の回転ファンを構成する一方の側板の上面図
【図８】従来の回転ファンを構成する他方の側板の上面図
【符号の説明】
１  ファン翼
２、３  側板
１０  回転ファン
１１  カシメ用ツメ
２１、３１  角穴
【図１】
2005009376.tif 000003
【図２】
2005009376.tif 000004
【図３】
2005009376.tif 000005
【図４】
2005009376.tif 000006
【図５】
2005009376.tif 000007
【図６】
2005009376.tif 000008
【図７】
2005009376.tif 000009
【図８】
2005009376.tif 000010